(57)【特許請求の範囲】
【請求項１】
カメラと、
テレビ放送を受信するテレビチューナと、
前記テレビチューナの出力から映像信号を生成する画像復号回路と、
前記カメラと前記画像復号回路のそれぞれに接続される共通バスと、
前記共通バスに接続され、前記カメラによって撮影され生成される映像信号、又は前記映像復号回路により出力される映像信号を前記共通バス経由で取得し、表示モニタへ供給する表示制御回路と、
テレビ放送を受信中、前記共通バスと前記カメラとの接続を切り離すスイッチ回路と、を備えた
ことを特徴とする携帯端末装置。
【請求項２】
第１の回路基板と、
前記第１の回路基板と第１の配線により接続される表示モニタと、
前記第１の回路基板と第２の配線により接続されて撮像信号を生成するカメラと、
前記第２の配線に接続されるスイッチ回路と、
テレビ放送を受信するテレビチューナと、
前記テレビチューナの出力から映像信号を生成する映像復号回路と、
前記スイッチ回路と前記画像復号回路のそれぞれに接続される共通バスと、
前記共通バスに接続され、前記映像信号、又は前記第２の配線および前記スイッチ回路を介して入力される前記撮像信号を前記共通バス経由で取得し、前記第１の配線を介して前記表示モニタへ供給する表示制御回路と、
前記第１の回路基板に実装され、テレビ放送を前記表示制御回路により前記映像信号を前記表示モニタに出力している間、前記共通バスと前記カメラとの接続を切り離すよう前記スイッチ回路を制御する主制御回路と、
を備えたことを特徴とする携帯端末装置。
【請求項３】
前記第１の回路基板を内包する第１の筐体と、前記表示モニタを内包するとともに前記第１の筐体に対してヒンジ軸を介して開状態と閉状態とを形成可能に連結された第２の筐体と、を備え、
前記第１の配線と第２の配線とは、前記ヒンジ軸内に挿通されて前記第１の筐体内から前記第２の筐体内を連絡するよう配されている
ことを特徴とする請求項２に記載の携帯端末装置。
【請求項４】
前記スイッチ手段は、前記第１の筐体内に設けられている
ことを特徴とする請求項３に記載の携帯端末装置。
【請求項５】
前記第２の配線は、前記カメラと前記スイッチ回路とを接続する細線同軸ケーブルである
ことを特徴とする請求項２から４のいずれか一項記載の携帯端末装置。
【発明の詳細な説明】
【技術分野】
【０００１】
本発明は、たとえば閉状態、開状態を形成可能な筐体を持つ携帯電話機などに代表される、携帯端末装置に関するものである。
【背景技術】
【０００２】
昨今の携帯電話機の高機能化に伴い、液晶表示装置（ＬＣＤ：Liquid Crystal Display）が実装された受話筐体と、キーが実装された送話筐体との接続部においては、芯数の増加、耐ノイズ性能向上が要望されている。
【０００３】
特に、携帯電話機においては、テレビ放送を受信するアプリケーションや、カメラによる撮影アプリケーションに対応すべく、ヒンジ機能においては軸を２つ備え、従来の折り畳み動作に加えてＬＣＤが実装された受話筐体が回転するような複雑な動作を行う機種も増えている。今後は、地上波デジタル放送に向け、上記した要望を満足する携帯電話機が数多く登場するものと考えられる。
【０００４】
一方、携帯電話機自体の小型化も進んでおり、ヒンジ機構の軸径も小型化してきている。従来、受話筐体と送話筐体との接続は、ＦＰＣ（Flexible Printed Circuit）による接続が一般的であった(たとえば、特許文献１、２、３参照）。
【０００５】
また、現在では、上記した市場動向に対応すべく、耐ノイズ性が高く、配線性および屈曲性に優れた細線同軸ケーブルによる接続がトレンドになってきている。
【特許文献１】特開２００４−７２１８号公報
【特許文献２】特開２００４−１２０１４９号公報
【特許文献３】特開２００４−２１４４４３号公報
【発明の開示】
【発明が解決しようとする課題】
【０００６】
ところで、上記した背景技術によれば、テレビ放送を受信するアプリケーションと、カメラにより撮影するアプリケーションとを共に持つ携帯電話機では、それぞれが排他的に動作するため、ケーブルの引き廻し、あるいはコスト等を考慮し、１個の表示制御回路により、同じバスライン（共通バス）を用いて映像信号を生成出力する構成を採ることが多い。
【０００７】
この場合、カメラのバスラインからのノイズが細線同軸ケーブルを介して放射されてテレビアンテナに廻り込み、その結果、テレビ映像および音声の乱れが生じ、ユーザに不快感を与えることがある。また、受信アンテナにも悪影響を与えるために受信感度が劣化し、携帯電話機としての性能も低下させてしまう。
【０００８】
本発明の目的は、ケーブルの引き廻しやコストダウンを考慮しながら、テレビ視聴時の画質や音声の劣化を防ぎ、また、テレビ視聴中の受信感度の劣化を防ぐことが可能な携帯端末装置を提供することにある。
【課題を解決するための手段】
【０００９】
本発明の第１の観点の携帯端末装置は、カメラと、テレビ放送を受信するテレビチューナと、前記テレビチューナの出力から映像信号を生成する画像復号回路と、前記カメラと前記画像復号回路のそれぞれに接続される共通バスと、前記共通バスに接続され、前記カメラによって撮影され生成される映像信号、又は前記映像復号回路により出力される映像信号を前記共通バス経由で取得し、表示モニタへ供給する表示制御回路と、テレビ放送を受信中、前記共通バスと前記カメラとの接続を切り離すスイッチ回路と、を備える。
【００１０】
本発明の第２の観点の携帯端末装置は、第１の回路基板と、前記第１の回路基板と第１の配線により接続される表示モニタと、前記第１の回路基板と第２の配線により接続されて撮像信号を生成するカメラと、前記第２の配線に接続されるスイッチ回路と、テレビ放送を受信するテレビチューナと、前記テレビチューナの出力から映像信号を生成する映像復号回路と、前記スイッチ回路と前記画像復号回路のそれぞれに接続される共通バスと、前記共通バスに接続され、前記映像信号、又は前記第２の配線および前記スイッチ回路を介して入力される前記撮像信号を前記共通バス経由で取得し、前記第１の配線を介して前記表示モニタへ供給する表示制御回路と、前記第１の回路基板に実装され、テレビ放送を前記表示制御回路により前記映像信号を前記表示モニタに出力している間、前記共通バスと前記カメラとの接続を切り離すよう前記スイッチ回路を制御する主制御回路と、を備える。
【００１１】
好適には、前記第１の回路基板を内包する第１の筐体と、前記表示モニタを内包するとともに前記第１の筐体に対してヒンジ軸を介して開状態と閉状態とを形成可能に連結された第２の筐体と、を備え、前記第１の配線と第２の配線とは、前記ヒンジ軸内に挿通されて前記第１の筐体内から前記第２の筐体内を連絡するよう配されている。
【００１２】
好適には、前記スイッチ手段は、前記第１の筐体内に設けられている。
【００１３】
好適には、前記第２の配線は、前記カメラと前記スイッチ回路とを接続する細線同軸ケーブルである。
【発明の効果】
【００１４】
本発明によれば、折り畳み筐体を実現するうえでケーブルの引き廻しやコストダウンを考慮しながらテレビ視聴時の画質や音声の劣化を防ぎ、テレビ視聴中の受信感度の劣化を防ぐ携帯端末装置を提供することができる。
【発明を実施するための最良の形態】
【００１５】
以下、本発明の実施形態を添付図面に関連付けて説明する。
【００１６】
図１は、本発明の実施の形態に係る携帯端末装置１の外観を開状態で示す正面図であり、図２は、携帯端末装置１の外観を開状態で示す視点が側方寄りの斜視図であり、図３（ａ）は携帯端末装置１の外観を閉状態で示す正面図であり、図３（ｂ）は携帯端末装置１の外観を閉状態で示す背面図である。
【００１７】
携帯端末装置１は、いわゆる折り畳み式の携帯電話機として構成されており、開状態と閉状態との間で互いに回動自在に連結された受話筐体(第１の筐体)２および送話筐体３(第２の筐体)を備えている。
受話筐体２および送話筐体３は、それぞれの端部が回動の中心となる連結部４により連結されることにより携帯端末装置１全体の筐体を形成する。
【００１８】
受話筐体２および送話筐体３は、それぞれ概ね薄型直方体に形成されており、閉状態では互いに重ね合わされ、一方の筐体側から他方の筐体側を見たときに互いの輪郭が略一致するようになっている。
【００１９】
受話筐体２は、閉状態で送話筐体３に対向する面側の正面側ケース６と、その背面側の背面側ケース７と、背面側ケース７の背面側に取り付けられるパネル８とを備えている。
受話筐体２の閉状態で送話筐体３に対向する正面Ｓ１は正面側ケース６により構成され、その反対側の背面Ｓ２は背面側ケース７およびパネル８により構成されている。
正面側ケース６、背面側ケース７およびパネル８は、たとえば非導電性の樹脂によりそれぞれ成形されている。
【００２０】
受話筐体２の正面Ｓ１には、通話用のスピーカ（不図示）の放音孔１２が開口している。受話筐体２には、正面Ｓ１に映像や文字を表示するメイン表示部１３（表示モニタ）と、背面Ｓ２に映像や文字を表示するサブ表示部１４（図３（ａ））とが設けられている。すなわち閉状態にて隠れる位置にメイン表示部13が、閉状態にしても隠れない位置にサブ表示部14がそれぞれ設けられている。メイン表示部１３およびサブ表示部１４は、たとえば、液晶表示装置や有機ＥＬ（Electronic Luminescence）表示装置などの表示デバイスにより構成されている。
なお、パネル８は透光性を有しており、サブ表示部１４の保護カバーを兼ねている。
さらに、パネル８の内側には背面S２側を撮影方向とするカメラ２０が配されている。
【００２１】
送話筐体３は、閉状態で受話筐体２に対向する面側の正面側ケース９と、その背面側の背面側ケース１０と、背面側ケース１０の背面側に被せられる蓋体１１とを備えている。送話筐体３の閉状態で受話筐体２に対向する正面Ｓ３は正面側ケース９により構成され、その反対側の背面Ｓ４は背面側ケース１０および蓋体１１により構成されている。
正面側ケース９、背面側ケース１０および蓋体１１は、たとえば非導電性の樹脂によりそれぞれ成形されている。
【００２２】
送話筐体３の正面Ｓ３には通話用のマイクロフォン（不図示）の集音孔１６が開口し、背面Ｓ４側では報知用スピーカ（不図示）に放音孔１７が側方へ向けて閉口している。送話筐体３には、正面Ｓ３に露出する各種キーを含む操作部１８が設けられている。
各種キーは、たとえばダイヤルキー１８ａ、カーソルキー１８ｂ、ファンクションキー１８ｃ、決定キー１８ｄである。
また、送話筐体３には、背面Ｓ４側を送受信方向とする赤外線信用の赤外線通信部２１が設けられている。
【００２３】
連結部４は、受話筐体２の端部に切り欠き部２７が、送話筐体３の端部に突出部２８が形成され、切り欠き部２７に突出部２８が嵌合されて互いに回動自在に軸支され構成されている。
切り欠き部２７および突出部２８は、たとえば、回転軸方向（図１の紙面左右方向）の幅が受話筐体２および送話筐体３の幅の半分程度の大きさに形成され、受話筐体２および送話筐体３の幅方向の中央に形成されている。
突出部２８は、送話筐体３の正面Ｓ３から、閉状態において受話筐体２と対向する方向へ、受話筐体２の厚みと同程度の高さで突出している。
【００２４】
図４は、図１に示す本発明の実施の形態にかかわる携帯端末装置の信号処理系の構成の一例を示すブロック図である。
【００２５】
携帯端末装置１は、図４に示されるように、第１の筐体としての受話筐体２と、第２の筐体としての送話筐体３とから成り、受話筐体２と送話筐体３とは、上記したように機械的には連結部４（ヒンジ機構）を介して接続され、電気的には第１の配線としてのメインケーブル４１と、第２の配線としてのカメラケーブル４２とにより接続される。
【００２６】
これらメインケーブル４１、およびカメラケーブル４２は、ともに細線同軸ケーブルにより構成され、ともに、切り欠き部２７から突出部28内へ挿通するヒンジ軸受け内を通って送話筐体３内から受話筐体２内へと連絡して配されている。
細線同軸ケーブルは、同軸ケーブルの中でも比較的径が小さいものであり、たとえば、直径１ｍｍ以下である。最近では、直径０．３ｍｍ以下のものも知られ、ＦＰＣに比べて耐ノイズ性が高く、配線性および屈曲性に優れている。
【００２７】
受話筐体２には、表示モニタとしてのメイン表示部１３と、サブ表示部１４と、カメラ２０と、スピーカ５０とが実装される。
また、メイン表示部１３と、サブ表示部１４は、たとえば、ＬＣＤにより構成され、その駆動回路が形成される第２の回路基板としての回路基板４０上に実装される。
【００２８】
一方、送話筐体３は、第１の回路基板としての回路基板３０と、ＴＶアンテナ３１と、送受信アンテナ３５と、マイク４３とにより構成される。
回路基板３０上には、ＴＶチューナ３２と、映像復号回路３３と、表示制御回路３４と、通信処理回路３６と、音声処理回路３７と、主制御回路３８と、スイッチ回路３９とが実装される。
【００２９】
主制御回路３８は、たとえば、ＣＰＵとメモリ（いずれも不図示）により構成され、ＣＰＵがメモリに記録されたプログラムを逐次読み出し実行することにより、ＴＶチューナ３２、映像復号回路３３、表示制御回路３４、通信処理回路３６、音声処理回路３７、スイッチ回路３９等の周辺ＬＳＩを制御する。
主制御部３８は、後述するように、受話筐体２と送話筐体３が開状態にあるときは画像表示をメイン表示部１３にて行わせ、閉状態を検出すると、テレビ放送の録画中を除き、表示制御回路３４による画像の表示をメイン表示部１３からサブ表示部１４へ切り替える。
【００３０】
ＴＶチューナ３２は、ＴＶアンテナ３１を介して受信される、たとえば、地上波デジタル放送波を中間周波数信号に変換して復調し、さらに、復調して得られる信号を、映像信号成分と音声信号成分に分離し、映像復号回路３３、音声処理回路３７のそれぞれに供給する。
【００３１】
音声処理回路３７は、入力される音声信号成分から音声信号を生成し、メインケーブル４１経由で受話筐体２のスピーカ５０へ出力する。
【００３２】
また、映像復号回路３３は、入力される映像信号成分を復号化し、共通バス１００を介して表示制御回路３４へ出力する。
表示制御回路３４は、映像復号回路３３により出力される復号信号を所定のフォーマットにしたがう映像データに変換し、メインケーブル４１を経由して受話筐体２のメイン表示部１３へ出力する。
【００３３】
また、表示制御回路３４は、カメラ２０により撮影され生成される撮像データをカメラケーブル４２、スイッチ３９、共通バス１００経由で取得し、所定のフォーマットに従う映像データに変換し、メインケーブル４１経由で受話筐体２のメイン表示部１３もしくはサブ表示部１４へ出力する。
【００３４】
上記したように、表示制御回路３４は、その映像入力として、映像復号回路３３の出力と、カメラ２０の出力とを共通バス１００を介して取得し、メイン制御部３８による制御の下、テレビ放送受信中はスイッチ回路３９をＯＦＦ制御することによって共通バス１００とカメラ２０（カメラケーブル４２）との接続を切り離する。
これにより、表示制御回路３４は、テレビ放送受信中の細線同軸ケーブルからのノイズ放射を防いでいる。
【００３５】
一方、通信処理回路３６は、高周波回路を含み、電波を用いた無線通信を行うために、マイク４３を介して入力され音声処理回路３７で処理された音声データを変調して送受信アンテナ３５を介して送信する。
また、通信処理回路３６は、送受信アンテナ３５を介して受信した信号を復調して音声処理回路３７経由で受話筐体２のスピーカ５０に出力する。
【００３６】
図５は、図４に示す表示制御回路３４周辺の構成を拡大表示してその動作原理を説明するために引用した図である。図５中、図４に示すブロックと同一番号が付されたブロックは、図４に示すそれと同じとする。
【００３７】
以下、図５を参照しながら本発明の実施の形態にかかわる携帯端末装置の動作について詳細に説明する。
【００３８】
図５に示されるように、本発明の実施の形態によれば、スイッチ回路３９は、送話筐体の回路基板３０に敷設されるカメラケーブル４２に、送話筐体３内にて挿入される。これにより、主制御回路３８がキー操作によりＴＶチューナー３２起動を指示されると表示制御部３４を制御し、この表示制御部３４から出力される制御信号によってスイッチ回路３９のＯＦＦ（カメラ２０と共通バス１００の切り離し）を実行する。主制御回路３８は、は、ＴＶチューナー終了の指示が入力されるまでの間、テレビ放送受信中（テレビ起動中）と判断し、この間はスイッチ回路３９のＯＦＦ（切り離し）状態を維持する。そして、ＴＶチューナー終了の指示が入力されると、スイッチ回路３９のＯＮ（カメラ２０と共通バス１００の接続）状態に切り替える。
すなわち、テレビ放送受信中（テレビ起動中）はスイッチ回路３９のＯＦＦ制御をすることにより、テレビとカメラのバスライン（共通バス１００）を切り離し、カメラケーブル４２（細線同軸）からのノイズ輻射を防いでいる。
特に、受話筐体２に映像関係のデバイスを搭載し、カメラのみスペースや使い勝手の関係上、送話筐体３に実装せざるを得ない場合、どうしても送話筐体３と受話筐体２との間をカメラケーブル４２にて接続せざるを得ない。この場合にはカメラケーブル４２の長さがある程度の長さを有してしまうため、カメラ２０を不使用状態としているにもかかわらずテレビ起動中に映像復号回路３３から回り込んだ信号が、カメラケーブル４２によりアンテナとして放射してしまう。しかし、本発明のように送話側筐体内において、カメラケーブル４２を切り離せるよう構成したことにより、映像復号回路３３から信号が回り込むことがなくなり、ＴＶアンテナ３１や送受信用アンテナ３５への輻射をカットすることができる。そして、テレビチューナ３２の不使用時にはカメラ２０と共通バス１００とを接続しておく様切り替えるため、カメラ使用時にはテレビようと同じ表示制御回路３４により映像処理することが可能となる。また、カメラ系統の細線同軸であるカメラケーブル４２のみを他の細線同軸であるメインケーブル４１から独立させた構成をとったゆえにスイッチ回路３９の介在による、メインケーブル４１への悪影響も生じずに済む。
【００３９】
この構成により、表示制御回路３４を特に、同時に使用することの無い機能同士であるカメラ用とテレビ用とで映像系統の一部共用化（兼用）することができるため、使用する部品の点数削減、あるいは低機能低価格の映像処理デバイスでの対応が可能となる。
【００４０】
また、本発明の実施の形態によれば、受話筐体２と送話筐体３とは、連結部４（ヒンジ機構）により回動自在に連結され、メインケーブル４１とカメラケーブル４２は、ヒンジ機構を挿通して送話筐体３から受話筐体に引き回されることになる。
特に、カメラ２０が送話筐体３に実装された回路基板３０とは異なる受話筐体２までカメラケーブル４２により引き廻されることになる。
したがって、より細線同軸から輻射が生じる可能性が高くなるが、スイッチ回路３９の介挿によりこれを回避することができる。
【００４１】
以上、この発明の実施の形態につき図面を参照して詳述したが、具体的な構成はこの実施の形態に限られるものではなく、この発明の要旨を逸脱しない範囲の設計等も含まれる。
本発明における携帯端末装置の一例として携帯電話機を用いて説明を行ったがこれに限定されることはなく、ＰＤＡ（Personal  Digital  Assistance）、PHS（Personal  Handy  Phone  System）やポータブルゲーム機やナビゲーションシステムにおいても適用可能であることは言うまでもない。
【図面の簡単な説明】
【００４２】
【図１】本発明の実施の形態に係る携帯端末装置の外観構造を示す図である。
【図２】本発明の実施の形態に係る携帯端末装置の外観構造を示す図である。
【図３】本発明の実施の形態に係る携帯端末装置の外観構造を示す図である。
【図４】図１に示す本発明の実施の形態にかかわる携帯端末装置の信号処理系の構成の一例を示すブロック図である。
【図５】図４に示す表示制御回路３４周辺の構成を拡大表示してその動作原理を説明するために引用した図である。
【符号の説明】
【００４３】
１…携帯端末装置、２…受話筐体（第１の筐体）、３…送話筐体（第２の筐体）、１３…メイン表示部（表示モニタ）、１４…サブ表示部、２０…カメラ、３０…メイン回路基板（第１の回路基板）、３１…ＴＶアンテナ、３２…ＴＶチューナ、３３…映像復号回路、３４…表示制御回路、３５…送受信アンテナ、３６…通信処理回路、３７…音声処理回路、３８…主制御回路、３９…スイッチ回路、４０…サブ回路基板（第２の回路基板）、４１…メインバス（第１の配線）、４２…カメラバス（第２の配線）、４３…マイク、５０…スピーカ、１００…共通バス。
【図１】
0004607052.tif 000002
【図２】
0004607052.tif 000003
【図３】
0004607052.tif 000004
【図４】
0004607052.tif 000005
【図５】
0004607052.tif 000006